(57)【要約】  第１の極性を持つ所定の発光電圧Ｖｐｒｏｇ―ｄａｔａが少なくとも１つのパネル制御回路(１，１’)の制御端子に印加されて保持される発光期間と、第１の極性とは逆の第２の極性を持つ所定の減極電圧Ｖｐｒｏｇ―ｐｏｌが少なくとも１つのパネル制御回路の制御端子に印加されて保持される減極期間を備え、パネル回路アドレス指定信号が、容量結合によってアドレス指定電極ＸＤから回路(１，１’)の制御端子Ｃへ伝達されることを特徴とする方法。本発明は、アドレス指定電極ＸＤを制御するために用いられる従来法に近く経済的な手段を可能とする。
2009520226.tif 000002
【特許請求の範囲】
【請求項１】
発光体または光バルブのアレイ及びアクティブマトリクスを備えた表示パネルであって、該アクティブマトリクスが、電圧モードの信号をアドレス指定するための電極(ＸＤ)のアレイ、選択電極(ＹＳ)のアレイ、クランプ電極(ＹＣ)のアレイ、アドレス指定のための少なくとも１つの参照電極(ＰＲ)、並びに、前記発光体または光バルブのそれぞれを制御するために適した回路のアレイであって、そのそれぞれ(１，１’)が、結合容量(ＣＣ)を経由してアドレス指定電極(ＸＤ)に結合するのに適した、直列にマウントされた電圧モードの制御端子(Ｃ)及び選択スイッチ(Ｔ４)、クランプスイッチ(Ｔ３)を経由して前記制御端子(Ｃ)に接続するのに適した電圧モードのクランプ端子(Ｒ)、及び、該クランプ端子(Ｒ)と前記制御端子(Ｃ)の間にマウントされたサステイン・キャパシタ(Ｃs)を備えた回路のアレイを備えた表示パネルを制御するための方法であって、前記クランプ端子(Ｒ)が前記少なくとも１つの参照電極(ＰＲ)にリンクし、前記選択スイッチ(Ｔ４)の制御端子が選択電極(ＹＳ)にリンクし、及び、前記クランプスイッチ(Ｔ３)の制御端子がクランプ電極(ＹＣ)にリンクする方法において、
第１の極性を示す所定の発光電圧(Ｖｐｒｏｇ―ｄａｔａ)が、前記表示パネルの少なくとも１つの制御回路の制御端子に印加されて保持される発光期間、及び、
前記第１の極性とは逆の第２の極性を示す所定の減極電圧(Ｖｐｒｏｇ―ｐｏｌ)が、前記表示パネルの少なくとも１つのドライバの制御端子に印加されて保持される減極期間を有することを特徴とする方法。
【請求項２】
前記所定の発光電圧(Ｖｐｒｏｇ―ｄａｔａ)または所定の減極電圧(Ｖｐｒｏｇ―ｐｏｌ)が、前記少なくとも１つの制御回路(１，１’)の前記制御端子(Ｃ)に、以下のクランプ・ステップ及び回路アドレス指定ステップに従い、容量結合によって印加されることを特徴とする方法。
前記クランプ・ステップにおいて、前記表示パネルの前記参照電極(ＰＲ)がクランプ電位(Ｖｃａｌ)に上昇され、選択信号が前記選択スイッチ(Ｔ４)を制御する前記選択電極(ＹＳ)に印加され及びクランプ信号が前記制御回路の前記クランプスイッチ(Ｔ３)を制御する前記クランプ電極(ＹＣ)に印加され、これらの信号は前記選択スイッチ及びクランプスイッチ(Ｔ４、Ｔ３)を閉じるのに適しており、及び、前記選択信号及び前記クランプ信号が同時に印加されている間、初期電圧信号(Ｖｉｎｉ―Ｅ、Ｖｉｎｉ―Ｐ)が、前記制御端子(Ｃ)が接続されるのが適当である前記アドレス指定電極(ＸＤ)に印加され、並びに、
前記回路アドレス指定ステップにおいて、前記クランプ信号が終了する一方で前記選択信号は保持され、前記参照電極(ＰＲ)に接続した前記クランプ端子(Ｒ)の前記クランプ電位(Ｖｃａｌ)へ、前記制御端子(Ｃ)の電位がクランプされた後に且つ前記初期電圧信号が印加された後に、最終電圧信号(Ｖｄａｔａ、Ｖｐｏｌ)が前記アドレス指定電極(ＸＤ)に印加され、前記最終電圧信号が前記アドレス指定電極(ＸＤ)上に電圧ジャンプ(ΔＶｄａｔａ=Ｖｄａｔａ−Ｖｉｎｉ―Ｅ、ΔＶｐｏｌ=Ｖｐｏｌ−Ｖｉｎｉ―Ｐ)を発生し、それが今度は前記アドレス指定電極(ＸＤ)に結合した前記制御端子(Ｃ)上に電圧ジャンプ(ΔＶｐｒｏｇ―ｄａｔａ=Ｖｐｒｏｇ―ｄａｔａ−Ｖｃａｌ、ΔＶｐｒｏｇ―ｐｏｌ=Ｖｐｒｏｇ―ｐｏｌ−Ｖｃａｌ)を発生し、前記初期電圧信号(Ｖｉｎｉ―Ｅ、Ｖｉｎｉ―Ｐ)と前記最終電圧信号(Ｖｄａｔａ、Ｖｐｏｌ)の値は、前記制御端子(Ｃ)上の前記電圧ジャンプの後で、前記所定の発光または減極電圧(Ｖｐｒｏｇ―ｄａｔａ、Ｖｐｒｏｇ―ｐｏｌ)が得られるように適合されていることを特徴とする、請求項１に記載の方法。
【請求項３】
前記発光期間であるか減極期間であるかに関わらず、また前記所定の発光電圧(Ｖｐｒｏｇ―ｄａｔａ)または前記所定の減極電圧(Ｖｐｒｏｇ―ｐｏｌ)の極性に関わらず、前記初期電圧信号(Ｖｉｎｉ―Ｅ、Ｖｉｎｉ―Ｐ)および前記最終電圧信号(Ｖｄａｔａ、Ｖｐｏｌ)は、それら両信号が同一の前記第１の極性を表すように選ばれることを特徴とする、請求項２に記載の方法。
【請求項４】
前記表示パネルは、少なくとも１つのベース電力供給電極ＰＢと少なくとも１つの上部電力供給電極ＰＡ間で電力が与えられるのが適当である発光体のアレイを備えていて、発光体(２)の前記制御回路のそれぞれが、該回路の前記制御端子(Ｃ)を形成する電圧モードの制御電極(Ｇ)と、前記電力供給電極(ＰＡ、ＰＢ)の１つと前記発光体の電力供給電極の間に接続される２つの電流通過型電極(Ｄ，Ｓ)を備えた電流変調器(Ｔ２)を備えることを特徴とする、請求項１乃至３のいずれか一項に記載の方法。
【請求項５】
前記電流変調器はアモルファス・シリコンからなる半導体層を備えたトランジスタであることを特徴とする、請求項４に記載の方法。
【請求項６】
前記発光体は発光ダイオードであることを特徴とする、請求項４または５に記載の方法。
【発明の詳細な説明】
【技術分野】
【０００１】
本発明は、例えば発光ダイオードのような発光体アレイ、または、例えば液晶バルブのような光バルブのアレイを用いて画像を表示するために用いることの出来るアクティブマトリクスパネルに関する。これらの発光体またはバルブは通常は行と列に分けられている。
【背景技術】
【０００２】
用語「アクティブマトリクス（active matrix）」は、この基板によって支持されている発光体または光バルブを制御して、これに電力を供給するために適した電極と回路のアレイを集積した基板を指す。これらの電極のアレイは、通常は、アドレス指定電極の少なくとも１つのアレイと、選択電極の１つのアレイと、アドレス指定のための少なくとも１つの参照電極と、およびこれら発光体へ電力を供給するための少なくとも１つのベース電極とを備えている。場合によっては、アドレス指定のための参照電極と電力供給のためのベース電極とは組み合わされている。パネルは、また、通常は全てのバルブまたは全ての発光体に共通の、少なくとも１つの上部電力供給電極を備えるが、これはアクティブマトリクスに集積されてはいない。バルブまたは発光体のそれぞれは、通常は電力供給のためにベース電極に結合したベース電力供給端子と、通常は、パネルの全てをカバーする上部電力供給電極の間に挿入される。
【０００３】
各制御回路(すなわち「ドライバ（driver）」)は、選択スイッチを経由してアドレス指定電極に接続または結合する制御端子と、このスイッチの制御端子に対応して選択電極に接続される選択端子と、および参照電極に接続または結合する参照端子を備えている。
【０００４】
それ故に、各ドライバは、アドレス指定電極から発生したアドレス指定信号をこの回路に伝達するために適した選択スイッチを備えている。回路の選択スイッチを閉じることはその回路を選択することに対応する。
【０００５】
一般に、各アドレス指定電極は、同一の列の全て発光体の、または全てのバルブのドライバの制御端子に接続または結合している。各選択電極は、同一の行の全ての発光体、または全てのバルブのドライバの選択端子に接続または結合している。アクティブマトリクスは、他の行、または列の電極を備えることも出来る。
【０００６】
アドレス指定電極は、ドライバに電圧モードあるいは電流モードの、アナログまたはディジタルの制御信号をアドレス指定するために用いられる。発光期間では、或るバルブまたは或る発光体のドライバ用の各制御信号は、そのバルブまたはその発光体と関係するピクセルまたはサブピクセルの画像データを表している。
【０００７】
光バルブのパネルの場合には、各ドライバと電力供給回路は、画像フレームの期間、そのバルブの制御電圧を維持するように設計された記憶素子、通常は、キャパシタを備えている。このキャパシタは、このバルブに直接、並列に接続される。バルブの制御電圧は、そのバルブの端子間での電位差である。特に単純なドライバの場合には、回路の制御端子は、バルブの端子の１つに接続または結合される。
【０００８】
電流制御型の発光体、例えば発光ダイオードの、特に有機ダイオードのパネルの場合には、各ドライバと電力供給回路は、通常は、ＴＦＴトランジスタである電流変調器を通常は備える。該ＴＦＴトランジスタは、電流が通過する２つの端子、すなわち１つはソース端子であり、１つはドレイン端子と、電圧モードの制御をするためのゲート端子を備えている。この変調器は制御されるべき発光体と直列に接続している。この直列接続は、今度は、電力供給のための(上部)電力供給電極とベース電極との間に接続される。通常は、変調器と発光体との共通端子はドレイン端子であり、ソース端子は電力供給のためのベース電極に接続されて一定電位に保たれる。変調器の制御電圧は変調器のゲートとソースの電位差である。各ドライバは、その回路の制御端子にアドレス指定された信号によって変調器の制御電圧を発生するための手段を備えている。各ドライバはまた、前記のように、各画像の期間、すなわち画像フレームの間、変調器の制御電圧を保持するように設計されたサステイン・キャパシタを供えている。特に単純なドライバの場合には、回路の制御端子は変調器のゲート端子に一致している。従来は、電圧モードの制御または電流モードの制御の２種類の制御があった。電圧モード制御の場合には、アドレス指定信号は電圧ステップである。電流モード制御の場合には、アドレス指定信号は電流ステップである。
【０００９】
発光体パネルの電流モード制御の場合には、各ドライバは、よく知られているように、電流信号に基づいてこの回路の変調器の制御電圧を「プログラム（program）」してゲート端子に印加する。
【００１０】
アドレス指定電極と選択電極は、今度は、パネルの端部で、これら電極の終端部に置かれた制御手段（「電極ドライバ（electrode driver）」)によって制御される。これらの制御手段は制御可能スイッチを備えている。
【発明の開示】
【発明が解決しようとする課題】
【００１１】
画像の良好な表示品質を確保しおよび／またはパネルの寿命を改良するためには、ドライバの変調器の制御電圧および／またはバルブまたは発光体（emitter）の電力供給電圧を定期的に逆転することが重要である。光バルブの、特に液晶のパネルの場合には、直接液晶分極成分の発生を回避するために、バルブの端子にて電圧を交互に変えるのが通常である。発光体が発光ダイオードである発光体パネルの場合には、特許文献１，２に記されているように、発光体の端子の電圧を定期的に逆転するのが有利であろう。しかしながら、この電力供給電圧の逆転の期間には、この発光体は明らかに発光を停止し、このときダイオードは逆方向に分極する。電流制御型発光体のパネルの場合には、そのドライバは電流変調器を備え、この変調器はアモルファス・シリコンの活性層を含むトランジスタであるので、このタイプのトランジスタの、特にトリガ閾値電圧のドリフトを補償するために、変調器の制御電圧を定期的に逆転させることが有利であろう。特許文献３，４はこのような事情を示している。画像が表示されているときは、各ドライバにとって、この電圧の符号が変調器を導通にさせるような向きである表示すなわち発光期間（emission period）と、この電圧の符号が逆転し変調器を導通にはしないような、所謂、減極期間とが区別されて存在する。パネルの全体の制御としては、発光期間と減極期間（depolarization period）とはオーバーラップすることが出来る。すなわち、或る行の発光体またはバルブが発光しているときに他の行の回路、発光体またはバルブは減極期間に入ることが出来る。
【００１２】
【特許文献１】欧州特許第ＥＰ１０９４４３８号明細書
【特許文献２】欧州特許第ＥＰ１１９７９４３号明細書
【特許文献３】米国特許第ＵＳ２００３／０５２６１４号明細書
【特許文献４】国際特許第Ｗ０２００５／０７１６４８号パンフレット
【特許文献５】国際特許第Ｗ０２００５／０７３９４８号パンフレット
【特許文献６】米国特許第ＵＳ２００３／１１２２０５号明細書
【特許文献７】米国特許第ＵＳ６２２９５０６号明細書
【特許文献８】米国特許第ＵＳ６７７７８８８号明細書
【特許文献９】米国特許第ＵＳ６６１８０３０号明細書
【特許文献１０】米国特許第ＵＳ６８８５０２９号明細書
【００１３】
しかしながら全体としては、発光体からの発光に用いることの出来る全時間が減極期間の時間によって減少するので、この期間の交互入れ替えはパネルの最大輝度という点において不利となる。
【００１４】
電流制御型発光体のパネルの場合には尚、この輝度低下を避けるために、特許文献５は次のようなパネルを提案している。それは、各発光体が２つのドライバを備えていて交互に制御され、アドレス指定電極のアレイを重複して持つことを必要としている。他の解法は、反対に、行電極のアレイを付け加えることを必要とするものである。
【００１５】
特許文献６は特殊な解法を記述している。この文献の図６と段落４４と４５に示されているドライバを制御することによって、所謂「非発光(non-luminescence)」期間において参照アドレス指定電極(これは電力供給のためのベース電極でもある。)に負の電圧Ｖｅｅを印加すると、(この場合は発光ダイオードである)発光体の両端子間に逆極性が得られ、この逆極性の期間は、この発光体と直列に入っている電流変調器Ｔｒ２の制御が相殺される(スイッチを閉じることによってサステイン・キャパシタ（sustain capacitor）を短絡するので、この変調器のソースとゲートが同電位になる。)
【００１６】
特許文献３，４に記された解法を用いると、アドレス指定電極を制御する手段は、逆符号、すなわち逆極性のアドレス指定信号を伝送するようになっていることを必要とする。特許文献３の解法は、各アドレス指定電極の先頭に「トグル（toggle）」素子を付加することを必要とする。この適応条件は列「ドライバ（driver）」に著しい経費オーバヘッドを必要とする。
【課題を解決するための手段】
【００１７】
本発明の１つの目的はこの欠点を回避することである。
【００１８】
以前の技術では、通常は、選択スイッチによってアドレス指定電極と回路の制御端子との間を直接導通させることによって、アドレス指定信号がドライバへ伝送される。発光体のパネルのアナログ電圧モードの制御の場合には、回路の制御端子は変調器のゲート端子に対応するが、このとき、少なくともこの回路が選択されている間は、変調器のゲート電圧はこの回路を制御するアドレス指定電極の電圧に等しくなる。
【００１９】
特許文献７は、アドレス指定信号が、上の場合と反対に、容量結合によってドライバに伝送される場合を記述している。(この文献の図３および４の）電圧モード制御の場合には、結合容量(それぞれ参照番号３５０と４５０)が、アドレス指定電極と回路の制御端子との間を導通することなしに直接接続する。そのような回路が選択されると、この配置は、アドレス指定電極から発生する電圧ジャンプ信号を、以前に回路にストアされた変調器トリガ閾値電圧に付加することができる。アドレス指定電極と回路の制御端子との間の、導通によるのではなく容量結合による接続は、これら回路の変調器間のトリガ閾値の差異を補償することができ、スクリーンのより一様な輝度と、よりよい表示品質を得ることが出来る。同じ目的で、他の特許文献８，９，１０が、アドレス指定電極と発光体の電流変調器の制御端子間の容量結合を記述している。
【００２０】
本発明の本質的な側面は、別の目的でこのような容量結合を用いることにある。その目的は、アドレス指定信号を逆転する必要なしに、バルブ端子または発光体端子での電圧を、あるいはこれら発光体のドライバの変調器の制御電圧を逆転することであり、これは経費のかかるアドレス指定電極の制御手段の必要性を回避するものである。
【００２１】
このように、本発明によれば、容量結合によって伝送される電圧信号は、詳細には、画像データを表す発光のためのアドレス指定信号であり、および／または減極のための、特に発光体の電流変調器の減極のための(同一符号の)アドレス指定信号である。
【００２２】
一般的に、容量結合は、端子の電圧を電圧ジャンプだけ変化させることが出来る。このように、アドレス指定電極から容量結合によって、以前はポテンシャルＶｃａｌにあった制御端子へ伝送される代数的な値ΔＶの電圧ステップ信号は、その端子のポテンシャルをＶからＶｃａｌ＋ΔＶへ変化させる。この電圧ジャンプは、アドレス指定電極の(ジャンプの前の)初期ポテンシャルの値Ｖｉｎｉとは無関係である。
【００２３】
回路の制御端子の電位が初期値Ｖｃａｌから値ΔＶ(ΔＶ＜０)だけ低減して、この回路によって制御される発光体から発光を得るために印加される電位とは逆符号の電位Ｖｃａｌ＋ΔＶを達成することを所望するとき、容量結合により、本発明に基づくと、この端子に接続するアドレス指定電極の電位の初期値Ｖｉｎｉ(たとえばＶｉｎｉ＞０)は代数和Ｖｉｎｉ＋ΔＶ(ΔＶ＜０)がＶｉｎｉと同符号を保つように十分に高ければ、すなわち|Ｖｉｎｉ|＞|ΔＶ|となるように選択すれば十分である。
【００２４】
以下に詳しく記載するように本発明の実装では、発光体の各ドライバの制御は、各画像フレームを表示するとき、この発光体からの発光を行う期間と、この発光体のドライバの変調器の減極を行う期間との２つの期間を備える。
【００２５】
以下に詳しく記載するように、本発明の実施においては、回路の各制御期間において、たとえ発光の期間ではなくても少なくとも減極の期間において、
［１］この回路の制御端子をアドレス指定電極に容量的に結合することによってこの回路が選択され、この端子の電位が参照端子の電位Ｖｃａｌに「クランプ（clamped）」される。参照端子はそれ故にこの回路の「クランプ端子（clamping terminal）」となる。この選択と「クランピング（clamping）」の間、電位Ｖｉｎｉがアドレス指定電極に印加される。このとき、このクランピングのために、値Ｖｃａｌに保たれている制御端子の電位に過渡現象以外の影響は与えない。
［２］この回路が尚選択されているが、制御端子はもはやクランプ端子にクランプされていない状態で、アドレス指定電極に電圧ジャンプ信号ΔＶが印加されて、それが容量結合によって制御端子に伝達されると、制御端子は電位Ｖｃａｌから電位Ｖｐｒｏｇ＝Ｖｃａｌ＋ΔＶにスイッチする。現在の(発光または減極)期間の残りの期間は、制御端子の電位は、従来技術と同様に、サステイン・キャパシタによってこの値に保たれる。
【００２６】
Ｖｉｎｉの値は制御端子の電位になんら影響を与えないことがわかる。本発明によれば、電圧逆転すなわち減極期間の間、Ｖｉｎｉの値は、それ故に、アドレス指定電極に印加される信号が符号を変えないで、制御端子上ではＶｐｒｏｇを得るように、|Ｖｉｎｉ|＝|ΔＶ|となるようになっている。このように、有利なことには、経費のかかるアドレス指定電極の制御手段が回避される。
【００２７】
電力供給電極間で極性を逆転する必要なしに、バルブ端子でも発光体端子でも、電圧を逆転するために同じ原理が適用可能である。
【００２８】
本発明に固有の制御方法を減極期間にだけ用いて、発光期間には従来法である導通によるアドレス指定法を用いるか、または発光期間と減極期間の両方に対して本発明を用いることが出来る。
【００２９】
この制御方法の利点は、各回路に固有の減極信号をアドレス指定することと、減極動作を各回路の変調器の減極のレベルにあわせることが出来ることである。そのレベルは、特に、直前の発光期間においてアドレス指定された発光信号に依存するものである。
【００３０】
それ故に、本発明の主題は、発光体または光バルブのアレイ及びアクティブマトリクスを備えた表示パネルであって、該アクティブマトリクスが、電圧モードの信号をアドレス指定するための電極のアレイ、選択電極のアレイ、クランプ電極のアレイ、アドレス指定のための少なくとも１つの参照電極、並びに、上記発光体または光バルブのそれぞれを制御するために適した回路のアレイであって、そのそれぞれが、結合容量を経由してアドレス指定電極に結合するのに適した、直列にマウントされた電圧モードの制御端子及び選択スイッチ、クランプスイッチを経由して上記制御端子に接続するのに適した電圧モードのクランプ端子、及び、該クランプ端子と上記制御端子の間にマウントされたサステイン・キャパシタを備えた回路のアレイを備えた表示パネルを制御するための方法であり、本方法において、上記クランプ端子が上記少なくとも１つの参照電極にリンクし、上記選択スイッチの制御端子が選択電極にリンクし、及び、上記クランプスイッチの制御端子がクランプ電極にリンクし、本方法は、第１の極性を示す所定の発光電圧Ｖｐｒｏｇ―ｄａｔａが、上記表示パネルの少なくとも１つのドライバの制御端子に印加されて保持される発光期間と、さらに、上記第１の極性とは逆の第２の極性を示す所定の減極電圧Ｖｐｒｏｇ―ｐｏｌが、上記表示パネルの少なくとも１つのドライバの制御端子に印加されて保持される減極期間を有する。
【００３１】
上記発光体またはバルブは、少なくとも２つの電力供給電極間で電力供給されるのが好適である。それは、すなわち、通常は上記アクティブマトリクスの１部分を形成する電力供給用ベース電極と、通常は全発光体またはバルブをカバーする所謂「上部（upper）」電力供給電極である。
【００３２】
上記サステイン・キャパシタは、上記選択スイッチと上記クランプスイッチが開のときの画像フレームの期間、上記制御端子にほぼ一定の電圧を保持するのに適している。
【００３３】
上記クランプスイッチ以外のスイッチは、特に上記選択スイッチ自身は、電圧モード電圧モードのクランプ端子を電圧モード制御端子に接続するために用いることが出来る。実際に、発光期間または減極期間の間、所定の発光電圧または所定の減極電圧が上記パネルのそれぞれの上記ドライバの制御端子に印加されて保持される。
【００３４】
上記所定の発光電圧Ｖｐｒｏｇ―ｄａｔａまたは所定の減極電圧Ｖｐｒｏｇ―ｐｏｌが、上記少なくとも１つのドライバの上記制御端子に、以下のステップに従い、容量結合によって印加されるのが好適である。すなわち；
クランプ・ステップにおいて、上記表示パネルの上記参照電極がクランプ電位に上昇され、選択信号が上記選択スイッチを制御する上記選択電極に印加され及びクランプ信号が上記制御回路の上記クランプスイッチを制御する上記クランプ電極に印加され、これらの信号は上記選択スイッチ及びクランプスイッチを閉じるのに適しており、及び、上記選択信号及び上記クランプ信号が同時に印加されている間、初期電圧信号Ｖｉｎｉ―Ｅ，Ｖｉｎｉ―Ｐが、上記制御端子(Ｃ)が接続されるのが適当である上記アドレス指定電極に印加される。
回路アドレス指定ステップにおいて、上記クランプ信号が終了する一方で上記選択信号は保持され、上記参照電極に接続した上記クランプ端子の上記クランプ電位Ｖｃａｌへ、上記制御端子の電位がクランプされた後に且つ上記初期電圧信号が印加された後に、最終電圧信号Ｖｄａｔａ，Ｖｐｏｌ上記アドレス指定電極に印加され、上記最終電圧信号が上記アドレス指定電極上に電圧ジャンプΔＶｄａｔａ=Ｖｄａｔａ−Ｖｉｎｉ―Ｅ，ΔＶｐｏｌ=Ｖｐｏｌ−Ｖｉｎｉ―Ｐを発生し、それが今度は上記アドレス指定電極(ＸＤ)に結合した上記制御端子(Ｃ)上に電圧ジャンプΔＶｐｒｏｇ―ｄａｔａ=Ｖｐｒｏｇ―ｄａｔａ−Ｖｃａｌ，ΔＶｐｒｏｇ―ｐｏｌ=Ｖｐｒｏｇ―ｐｏｌ−Ｖｃａｌを発生し、上記初期電圧信号Ｖｉｎｉ―Ｅ，Ｖｉｎｉ―Ｐと上記最終電圧信号Ｖｄａｔａ，Ｖｐｏｌの値は、上記制御端子上の上記電圧ジャンプの後で、上記所定の発光または減極電圧Ｖｐｒｏｇ―ｄａｔａ，Ｖｐｒｏｇ―ｐｏｌが得られるように適合されている。
【００３５】
上記パネルは、通常は、連続した（一続きの）画像を表示するように意図されている。そこで、上記パネルのそれぞれの発光体またはバルブは、表示されるべき画像の対応するピクセルまたはサブピクセルを有している。それぞれの発光期間では、上記パネルのそれぞれの発光体またはバルブは、それと関連した、該発光体またはバルブを制御するための所定の発光電圧を有している。該電圧は、該発光体またはバルブによって上記ピクセルまたはサブピクセルの表示を得るようになっている。それぞれの減極期間の間は、上記パネルのそれぞれの発光体またはバルブは、それと関連した、該発光体、該バルブ、および／またはそのドライバを減極するために適した所定の減極電圧を有している。
【００３６】
このように、上記パネルの上記ドライバの制御端子に印加され、保持されるべき上記所定の電圧は、
上記表示されるべき画像のピクセルまたはサブピクセルを発光すべく、上記回路によって制御される、上記パネルの上記発光体またはバルブのために、
および／または、少なくとも部分的に減極をするべき、上記パネルの上記発光体またはバルブ、または上記ドライバ、或いは適当な場合には、上記回路の電流変調器のために、
意図されている。
【００３７】
上記回路アドレス指定ステップの後、上記選択信号が終了し、その結果、上記ドライバの上記選択スイッチが開となる。この瞬間、上記制御端子の電圧は、それ故に、上記所定の電圧に等しくなり、上記制御端子に接続されるサステイン・キャパシタにより、この期間の残りの時間はほぼこの値に保持される。
【００３８】
上記制御端子にて適切に得られる上記所定の電圧は、それ自身電圧ジャンプを受ける上記アドレス指定電極への容量結合によって、上記制御端子にて引き起こされる電圧ジャンプから生じるものである。該所定の電圧から、上記制御端子が以前はクランプされていた上記参照電極の電位との差によって上記制御端子で得られるべき電圧ジャンプを推定することが出来る。該電圧ジャンプから、特に上記制御端子との結合の程度によって、上記アドレス指定電極で発生すべき電圧ジャンプを推定することが出来る。
【００３９】
好ましくは、上記発光期間または減極期間のどちらであっても、また上記所定の発光電圧Ｖｐｒｏｇ―ｄａｔａまたは上記所定の減極電圧Ｖｐｒｏｇ―ｐｏｌの極性がどちらであっても、上記初期電圧信号Ｖｉｎｉ―Ｐおよび上記最終電圧信号Ｖｐｏｌは、それら両信号が同一の上記第１の極性を示すように選ばれる。
【００４０】
実際は、例えば、減極期間および上記ドライバの制御端子(Ｃ)に印加すべき所定の減極電圧Ｖｐｒｏｇ―ｐｏｌに対して、該減極電圧Ｖｐｒｏｇ―ｐｏｌを得るような差ΔＶｐｏｌ＝Ｖｐｏｌ―Ｖｉｎｉ―Ｐが第１に選ばれる。次に、同じ差ΔＶｐｏｌから発展し、また上記第１の極性を示すＶｐｏｌ−１の値に対して、上記第１の極性を示す十分に高い値のＶｉｎｉ―Ｐが選ばれる。ΔＶｐｏｌの値が許せば、Ｖｉｎｉ―Ｐ＝０と選ぶのが好適である。
【００４１】
信号の極性は、上記回路の制御電圧に関する参照電極を基準にして測られる。特に、それは上記発光体またはバルブへの電力供給のためのベース電極であって良い。
【００４２】
このように、上記アドレス指定電極の電圧は符号を変えることはなく、有利なことには、上記アドレス指定電極を制御するための従来からの、経費のかからない手段を用いることが出来ることである。
【００４３】
上記パネルは、少なくとも１つのベース電力供給電極と少なくとも１つの上部電力供給電極の間で電力が与えられるのが好適である発光体のアレイを備え、上記発光体のそれぞれのドライバは、上記回路の制御電極を形成する電圧モードの制御電極と、および、該電力供給電極の１つと上記発光体の電力供給電極との間に接続される２つの電流通過電極とを備えた電流変調器を備えるのが好適である。通常は、このような変調器はＴＦＴトランジスタである。このとき、上記変調器によって運ばれる電流は、該トランジスタのゲート端子とソース端子間の電位差に依存する。該電位差は、通常は、上記制御端子と、上記回路の制御電圧に関する参照電極との間の電位差に、等しくなければ、その関数である。該参照電極は、このとき、上記ベース電力供給電極によって形成される。
【００４４】
上記電流変調器はアモルファス・シリコンの半導体層を備えたトランジスタであることが好適である。
【００４５】
上記発光体は発光ダイオードであり、好適には有機発光ダイオードであることが好適である。
【発明を実施するための最良の形態】
【００４６】
本発明は非制限的例示の方法で記された以下の説明を読んで、添付の図面を参照すると、よりよく理解されるであろう。
【００４７】
タイミングを表す図は値のスケールは考慮していない。これは縮尺が考慮されると明確にはならないであろう或る細部を示すのに好都合であるからである。
【００４８】
記述を単純化するために、同じ機能を果たす部品には同一の参照番号が用いられる。
【００４９】
以下に記述される実施形態は、発光体が、これらのダイオードにドライバと電力供給回路を集積したアクティブマトリクス上に成膜された有機発光ダイオードである画像表示パネルに関するものである。これらの発光体は行と列に配置されている。
【００５０】
さて、本発明の第１の実施形態の記述を以下で行うが、そこではパネルは、行に配置した電極の２つのアレイを含み、各発光体のドライバはたった３つのＴＦＴトランジスタを含み、その１つは電流変調器を形成し、他の２つはスイッチを形成するものである。
【００５１】
パネルのダイオードのドライバと電力供給回路と電極への配線を示す図１を参照すると、第１の実施形態によるパネルのアクティブマトリクスは、
同一の列の、ダイオードを制御する回路の全てを同じアドレス指定電極ＸＤが世話をするように、列に配置したアドレス指定電極のアレイと、
同一の行の、ダイオードを制御する回路の全てを同じ電極が世話をするように、行に配置した選択電極ＹＳのアレイと、
同一の行の、ダイオードを制御する回路の全てを同じ電極が世話をするように、行に配置したクランピング制御電極ＹＣのアレイと、
回路の全てに共通の参照電極ＰＲと、
回路の全てに共通のベース電力供給電極ＰＢと
を備えている。
【００５２】
アクティブマトリクスは各ダイオード２のドライバと電力供給回路１をも備えている。
【００５３】
パネルは全てのダイオードに共通の上部電力供給電極ＰＡをも備えている。
【００５４】
各ダイオード２のドライバと電力供給回路１は、
ドレイン端子Ｄとソース端子Ｓである２個の電流端子と、ここでは回路の制御端子Ｃに対応するゲート端子Ｇとを備えた電流変調器Ｔ２と、
該ゲートＧと回路のクランプ端子Ｒとの間に接続されたサステイン・キャパシタＣＳと
を備えている。
【００５５】
回路の制御端子Ｃは、直列に接続されている選択スイッチＴ４と結合容量ＣＣを経由してアドレス指定電極ＸＤに結合される。ここで、制御端子Ｃとアドレス指定電極ＸＤとの間に電気伝導による接続は存在しない。結合容量ＣＣはこのアドレス指定電極が世話をするドライバの全てに共通であることが好適である。選択スイッチＴ４は選択電極ＹＳによって制御される。
【００５６】
回路１はまた、スイッチＴ４を経由して制御端子Ｃを回路のクランプ端子Ｒに接続するのに適したクランプ用スイッチＴ３を備えている。クランプ用スイッチＴ３はクランプ電極ＹＣによって制御される。クランプ端子Ｒは参照電極ＰＲに接続される。
【００５７】
電流変調器Ｔ２はダイオード２に直列に接続される。このようにドレイン端子Ｄはダイオード２のカソードに接続される。この直列接続は２つの電力供給電極の間に接続される。ソース端子Ｓはベース電力供給電極ＰＢに接続され、ダイオード２のアノードは上部電力供給電極ＰＡに接続される。
【００５８】
さて、図３を参照して、第１の実施形態によるパネルの動作の説明を次に行う。
【００５９】
電位Ｖｃａｌ，ＶｄｄおよびＶｓｓがそれぞれ参照電極ＰＲおよび電力供給電極ＰＡとＰＢに印加される。ここで、ベース電力供給電極ＰＢの電位Ｖｓｓは０であり、回路の制御電圧に対する基準として用いられる。制御電圧は、この場合は、差ＶＧ−ＶＳ＝ＶＧ−Ｖｓｓ＝ＶＧに対応する。本発明の精神から逸脱することなしに、回路の制御電圧の基準として他の基準を考えることも出来る。差Ｖｄｄ―Ｖｓｓは、変調器の制御端子がトリガ閾値電圧以上になると、ダイオードから発光が得られるように調節される。後に記述する理由によって、値Ｖｃａｌは通常は負である（すなわち、アドレス指定信号の０レベル以下である。）。
【００６０】
上記の従来技術のように、パネルのそれぞれのダイオードとそのドライバのレベルで、各画像フレームは、この画像の対応するピクセルまたはサブピクセルの表示のために発光体から発光を得る期間と、この回路の変調器の閾値のドリフトを補償するための減極を行う期間とに分割される。
【００６１】
このとき、ダイオード２のそれぞれのドライバ１の制御に関して、各画像フレームの期間は６つのステップに分割される。
【００６２】
発光期間の間に変調器の制御端子をクランピングするためのステップ１：
このステップは、この画像フレーム内のダイオードの発光期間の開始を記すものである。電極ＹＳとＹＣに適当な論理信号をそれぞれ印加することによって、選択スイッチＴ４とクランプ用スイッチＴ３は同時に閉じられる（図３の最初の２つのタイミング図を参照のこと。）。Ｔ４を閉じると、ダイオード２のドライバ１（および同じ行の他の回路）を、キャパシタＣＣを経由して制御端子Ｃをアドレス指定電極ＸＤに接続することにより、選択された状態にする。スイッチＴ３とＴ４を同時に閉じることは、容量結合にも拘らず、制御端子Ｃの電位を参照電極ＰＲに印加されたクランピング電位Ｖｃａｌにクランピングを行う結果になり、このようにして、変調器Ｔ２のゲートＧの電圧をクランピングする結果になる。制御端子Ｃがクランプされている間にアドレス指定電極の電位は値Ｖｉｎｉ―Ｅ＝０に上昇する。このステップの期間の長さは、電位が安定化し、特にゲートＧの電位が値Ｖｃａｌに留まるために十分な長さである。
【００６３】
発光期間の間に回路をアドレス指定するステップ２：
このとき、選択スイッチＴ４を閉じたままクランプ用スイッチＴ３が開となる。この期間、アドレス指定電極の電位を、値Ｖｄａｔａ−１に上昇する（そして他のアドレス指定電極の電位を値Ｖｄａｔａ−１・・・・Ｖｄａｔａ−ｉ・・・・に上昇する。）。結合容量ＣＣを経由した容量結合によって、ゲートＧの電位ＶＧはΔＶｄａｔａ−１＝Ｖｄａｔａ−１−Ｖｉｎｉ―Ｅ＝Ｖｄａｔａ−１に比例した(正の) ジャンプ ΔＶｐｒｏｇ―ｄａｔａ−１を受けて値Ｖｃａｌから正の値Ｖｃａｌ＋ΔＶｐｒｏｇ―ｄａｔａ−１＝Ｖｐｒｏｇ―ｄａｔａ−１へスイッチする。変調器の制御電圧ＶＧ―ＶＳ=Ｖｐｒｏｇ―ｄａｔａ−１−ＶＳＳ＝Ｖｐｒｏｇ―ｄａｔａ−１が、後に記述する補正項は別として、この画像フレームの期間にダイオード２によって表示される画像データに比例するように、Ｖｄａｔａ−１の値が決められる。ステップ２の期間の長さは、電位をこれらの値に安定化させ、サステイン・キャパシタＣＳを充電するために、もともと知られている方法で設定される。それ故に、この段階でダイオード２は、該補正項を別にして、この画像フレーム内のそれと関係するピクセルまたはサブピクセルの画像データに比例する輝度を発し始める。
【００６４】
発光期間の間に回路を保持するステップ３：
この画像フレーム内の、ダイオード２の発光期間の残りの期間、選択スイッチＴ４は開けられ、クランプ用スイッチＴ３は開けられたままである。それ故、ドライバ１はもはや選択された状態になく、アドレス指定電極ＸＤと回路１の制御端子Ｃとの間の容量結合はもはや存在しない。このステップの期間、キャパシタＣＳは制御端子Ｃの電圧を一定値に保持し、ダイオード２は、それ故に、それと関連するピクセルまたはサブピクセルの画像データに比例した輝度を発し続ける。制御端子Ｃの電圧は、容量結合が除かれたためにステップ２とステップ３の間でわずかな低下―ΔＶｐｒｏｇ―ｄａｔａ−ｃｏｒを受けることがありうる。ダイオードの輝度が画像データに正しく比例しているためには、ステップ２において狙った値Ｖｐｒｏｇ―ｄａｔａ−１に補正＋ΔＶｐｒｏｇ―ｄａｔａ−ｃｏｒを加えることが望ましい。ステップ３の期間、他の行のダイオードのドライバは、上のステップ１と２を適用することによって選択されアドレス指定される。このようにして、パネルは画像のすべてを表示する。
【００６５】
減極期間の間に変調器の制御端子をクランピングするためのステップ４：
このステップの開始は、ダイオードの発光期間の終了と変調器Ｔ２の減極期間の始めとを記すものである。それぞれ電極ＹＳとＹＣに適当な論理信号を印加することによって、選択スイッチＴ４とクランプ用スイッチＴ３が同時に閉じられる(図３の始めの２つのタイミング図を参照のこと)。Ｔ４が閉じられると、ダイオード２のドライバ１は、キャパシタＣＣを経由して、制御端子Ｃがアドレス指定電極ＸＤに接続されることによって、選択された状態になる。スイッチＴ３とＴ４が同時に閉じられると、容量結合にもかかわらず、制御端子Ｃの電位は参照電極ＰＲに印加されたクランピング電位Ｖｃａｌにクランプされる。制御端子Ｃがクランプされている間に、アドレス指定電極の電位を値Ｖｉｎｉ―Ｐ―１に上昇する。この値Ｖｉｎｉ―Ｐ―１は以下で確定される。このステップの期間の長さは電位が安定化すために、特に制御端子Ｃの電位が値Ｖｃａｌに留まるために十分な長さである。
【００６６】
減極期間の間に回路をアドレス指定するステップ５：
このとき、選択スイッチＴ４を閉じたままクランプ用スイッチＴ３が開となる。この期間、アドレス指定電極の電位を、値Ｖｄａｔａ−１よりは低い値Ｖｐｏｌ―１に上昇する。それ故、結合容量ＣＣを経由した容量結合によって、制御端子Ｃの電圧ＶＧはΔＶｐｏｌ−１＝Ｖｐｏｌ−１−Ｖｉｎｉ―Ｐ−１に比例した電圧ジャンプΔＶｐｒｏｇ―ｐｏｌ−１を受けて，値Ｖｃａｌから値Ｖｃａｌ＋ΔＶｐｒｏｇ―ｐｏｌ−１＝Ｖｐｒｏｇ―ｐｏｌ−１へスイッチする。本発明によれば、Ｖｉｎｉ―Ｐ−１とＶｐｏｌ−１の値は２重の規定によって選ばれる。
規定１：差ΔＶｐｏｌ−１は、この場合は正(しかし、第２の画像フレームでは負----図３を参照のこと。)であるが、後に記述する補正項を別にして、前の発光期間に起こった変調器のトリガ閾値電圧のドリフトを補償するために適当な値の、変調器の（負の）減極制御電圧ＶＧ―ＶＳ＝Ｖｐｒｏｇ―ｐｏｌ―１―ＶＳＳ＝Ｖｐｒｏｇ―ｐｏｌ―１を得るように調節される。
規定２：Ｖｉｎｉ―Ｐ−１は、規定１によって定められたにＶｐｏｌ−１対して十分に高く、正か０となるようにする。値ΔＶｐｏｌ−１が許せば、図３において第１のフレームの場合に示すように、Ｖｉｎｉ―Ｐ−１＝０と選択されるのが好適である。このように、アドレス指定電極の電圧は符号を変えることはなく、有利なことには、アドレス指定電極を制御するために従来の、かつ経費のかからない手段を用いることが出来る。 
【００６７】
ステップ５の期間の長さは、電位をこれらの値に安定化させ、サステイン・キャパシタＣＳを充電するために、もともと知られている方法で設定される。この段階で変調器Ｔ２は、Ｖｐｒｏｇ―ｐｏｌ―１の値に比例して減極され始める。
【００６８】
減極期間の間に回路を保持するステップ６：
この画像フレーム内の、ダイオード２の減極期間の残りの期間、選択スイッチＴ４は開けられ、クランプ用スイッチＴ３は開けられたままである。それ故、ドライバ１はもはや選択された状態になく、アドレス指定電極ＸＤと回路１の制御端子Ｃとの間の容量結合はもはや存在しない。このステップの期間、キャパシタＣＳは変調器Ｔ２の制御電圧を一定値に保持し、変調器Ｔ２は、それ故に、Ｖｐｒｏｇ―ｐｏｌ―１の値に比例して減極され続ける。
【００６９】
変調器Ｔ２の制御電圧は、容量結合が除かれたためにステップ４とステップ５の間でわずかな低下―ΔＶｐｒｏｇ―ｐｏｌ−ｃｏｒを受けることがありうる。変調器の減極が目的に沿うためには、ステップ４において狙った値Ｖｐｒｏｇ―ｐｏｌ−１に補正＋ΔＶｐｒｏｇ―ｐｏｌ−ｃｏｒを加えることが望ましい。
【００７０】
ステップ６の期間、他の行のダイオードのドライバにステップ４と５を適用することによって、他の行の回路の変調器の減極を行う。このようにして、全てのパネルの変調器の減極は達成される。このステップの終了は、変調器Ｔ２の減極期間の終了と、新しい画像フレームにおけるダイオード２の新しい発光期間の開始を記すものである。
【００７１】
図３は２つの引き続く画像フレームに対する発光体２のドライバ１の制御タイミング図を表す。上に見られるように、第１のフレームではアドレス指定電極ＸＤの電位は次々と値Ｖｉｎｉ―Ｅ＝０、Ｖｄａｔａ−１、Ｖｉｎｉ―Ｐ―１、Ｖｐｏｌ―１をとり、変調器Ｔ２のゲートＧの電位は次々と値Ｖｃａｌ、Ｖｐｒｏｇ―ｄａｔａ−１、Ｖｃａｌ、Ｖｐｒｏｇ―ｐｏｌ―１をとる。ここでΔＶｄａｔａ−１＝Ｖｄａｔａ−１−Ｖｉｎｉ―Ｅ、ΔＶｐｒｏｇ―ｄａｔａ−１＝Ｖｐｒｏｇ―ｄａｔａ−１−Ｖｃａｌ、ΔＶｐｏｌ―１＝Ｖｐｏｌ―１−Ｖｉｎｉ―Ｐ―１、ΔＶｐｒｏｇ―ｐｏｌ―１＝Ｖｐｒｏｇ―ｐｏｌ―１−Ｖｃａｌである。ここではＶｐｒｏｇ―ｐｏｌ―１＝Ｖｃａｌ（すなわち、ΔＶｐｒｏｇ―ｐｏｌ―１＝０）であるので、Ｖｉｎｉ―Ｐ―１＝０を保持することが出来る。なぜならば、Ｖｐｏｌ―１がＶｄａｔａ−１と同符号になるようにするにはΔＶｐｏｌ―１自身は正または０であるからである。
【００７２】
同様に、第２のフレームでは、アドレス指定電極ＸＤの電位は、次々と値Ｖｉｎｉ―Ｅ＝０、Ｖｄａｔａ−２、Ｖｉｎｉ―Ｐ―２、Ｖｐｏｌ―２をとり、制御端子Ｃの電位は、次々と値Ｖｃａｌ、Ｖｐｒｏｇ―ｄａｔａ−２、Ｖｃａｌ、Ｖｐｒｏｇ―ｐｏｌ―２をとる。ここでΔＶｄａｔａ−２＝Ｖｄａｔａ−２−Ｖｉｎｉ―Ｅ、ΔＶｐｒｏｇ―ｄａｔａ−２＝Ｖｐｒｏｇ―ｄａｔａ−２−Ｖｃａｌ、ΔＶｐｏｌ―２＝Ｖｐｏｌ―２−Ｖｉｎｉ―Ｐ―２、ΔＶｐｒｏｇ―ｐｏｌ―２＝Ｖｐｒｏｇ―ｐｏｌ―２−Ｖｃａｌである。今回はＶｐｒｏｇ―ｐｏｌ―２＜Ｖｃａｌ(すなわち、ΔＶｐｒｏｇ―ｐｏｌ―２＜０)であるので、Ｖｉｎｉ―Ｐ―２＝−ΔＶｐｏｌ―２としてＶｉｎｉ―Ｐ―２＋ΔＶｐｏｌ―２＝Ｖｐｏｌ―２が正または０、すなわちＶｄａｔａ−２と同符号となるようにすることが適当である。
【００７３】
制御端子Ｃ上の電位ジャンプΔＶｐｒｏｇ―ｄａｔａ−１、ΔＶｐｒｏｇ―ｐｏｌ―１、ΔＶｐｒｏｇ―ｄａｔａ−２およびΔＶｐｒｏｇ―ｐｏｌ―２とアドレス指定電極上の対応する電位ジャンプΔＶｄａｔａ−１、ΔＶｐｏｌ―１、ΔＶｄａｔａ−２、およびΔＶｐｏｌ―２との間の比例定数Ｋ(ｔ)、すなわち結合定数は、該電位ジャンプがアドレス指定電極に印加された瞬間t＝０から時間変化するが、Ｋ(t)＝Ｋ×（１−ｅ−ｔ／τ）という形で表されることが示されている。ここでＫ＝Ｃｃ／（ＣＣ＋ＣＳ)であり、ＣＣとＣＳはそれぞれ結合容量とサステイン・キャパシタの容量の値を示し、また、τ＝Ｒ４ｘＣＣｘＣＳ/(ＣＣ＋ＣＳ)であり、ここでＲ４は閉じたときの選択スイッチの電気抵抗を表す。
【００７４】
アドレス指定ステップ（上のステップ２または５）における電位の安定化を実現して，サステイン・キャパシタＣＳを充電するためには、このステップの期間は少なくとも５ｘτに等しいことが好適である。
【００７５】
ドライバのトランジスタはアモルファス・シリコンで出来ているので、Ｒ４の値は通常高く、１００ｋΩ程度のオーダである。このため比較的高い時定数τとなる。
【００７６】
より具体的には、ＣＳ＝０．５ｐＦ、ＣＣ＝３ｐＦという値を採用して、ＳＰＩＣＥソフトウェアを用いたシミュレーションは、１７Ｖの電圧ジャンプを示すアドレス指定信号が印加された後に電位の安定化を達成するまでの時間は３．２５μｓである。より具体的には、ＣＳ＝０．５ｐＦ、ＣＣ＝１０ｐＦという値を採用して、「ａｉｍＳＰＩＣＥ」ソフトウェアを用いたシミュレーションは、１６Ｖの電圧ジャンプを示すアドレス指定信号が印加された後に電位の安定化を達成するまでの時間は４．５μｓである。安定化時間に関しては、これら２つのシミュレーションは、上の式と同程度の大きさではあるがより正確な結果を与える。１に限りなく近い値である結合係数Ｋを得るためには、上の２つのシミュレーション例で示すようにＣＣ＞＞ＣＳと選ぶのが好適である。
【００７７】
図３が示すように、Ｖｐｒｏｇ―ｄａｔａ−２＞＞Ｖｐｒｏｇ―ｄａｔａ−１であり、これは変調器Ｔ２が第２のフレームでは第１のフレームよりもより強く分極されることを意味し、この変調器のトリガ閾値電圧のより大きな変動を引き起こすことを意味する。その結果、第２のフレームにおける，このより大きな分極をより大きな減極によって補償するために|Ｖｐｒｏｇ―ｐｏｌ−２|＞＞|Ｖｐｒｏｇ―ｐｏｌ−１|が選ばれる。それ故に、本発明の本実施形態は、有利なことに、先行する表示期間の各表示アドレス指定信号Ｖｄａｔａ−ｉの値に対して，減極期間の各減極アドレス指定信号Ｖｐｏｌ―ｉの値を，各ドライバ１の変調器のトリガ閾値電圧におけるドリフトを最もよく補償するように選ぶことが出来るということがわかる。
【００７８】
第１の実施形態の変形例を図２に示す。表示パネルは前のものと同一であるが、異なる点は、クランプ用スイッチＴ３が、クランプ端子Ｒを回路１’の制御端子Ｃに選択スイッチＴ４を通ることなく直接、接続するのが適当であるということである。この変形例によるパネルは、主実施形態に対して上記したのと同じように制御することが出来る。
【００７９】
上記した実施形態はアクティブマトリクスを持つ有機発光ダイオード表示パネルに関するものである。本発明は、より一般的に、あらゆる種類のアクティブマトリクス表示パネルに適用され、特に電流制御型の発光体または光バルブに適用される。
【図面の簡単な説明】
【００８０】
【図１】図１は本発明によるパネルドライバの実施形態である。
【図２】図２は本発明によるパネルドライバの別の実施形態である。
【図３】図３は本発明の第１の方法によりパネルを制御する時の図１の回路の制御に対する一続きの期間とフレームの間に印加される信号のタイミング図である（ＶＹＳ、ＶＹＣは論理信号、ＶＸＤはアドレス指定信号）。このタイミング図は、また、この回路の変調器の制御電位ＶＧの傾向と、この回路によって制御されるダイオードに流れる電流の強度Ｉｄｄの傾向を示す。
【図１】
2009520226.tif 000003
【図２】
2009520226.tif 000004
【図３】
2009520226.tif 000005
【国際調査報告】
2009520226.tif 000006
2009520226.tif 000007
2009520226.tif 000008
2009520226.tif 000009